(57)【要約】【課題】ルアーのフックのような釣針を引っ掛けることが可能であり、かつ釣針を外れ難くしたリール脚固定装置を備えた釣竿を提供する。【解決手段】本発明に係る釣竿は、リールのリール脚を受ける本体１０と、本体１０に設けられ、リール脚の一端を本体１０との間で保持する第１のフード１３と、第１のフード１３と向かい合うと共に、リール脚の他端を本体１０との間で保持する第２のフード１５と、第１のフード１３及び第２のフード１５の少なくともいずれか一方に設けられ、本体１０に回転可能にねじ込まれる筒状のナット部材２０とを備えたリール脚固定装置５が取り付けられている。そして、ナット部材２０の外周面に、内部に空隙部Ｓを有する貫通孔２６を形成したことを特徴とする。【選択図】図２
2007116993.tif 000002
【特許請求の範囲】
【請求項１】
魚釣用リールのリール脚を受ける本体と、前記本体に設けられ、前記リール脚の一端を前記本体との間で保持する第１のフードと、前記第１のフードと向かい合うと共に、前記リール脚の他端を前記本体との間で保持する第２のフードと、前記第１のフード及び第２のフードの少なくともいずれか一方に設けられ、前記本体に回転可能にねじ込まれる筒状のナット部材とを備えたリール脚固定装置を取り付けた釣竿において、
前記ナット部材の外周面に、内部に空隙部を有する貫通孔を形成したことを特徴とする釣竿。
【請求項２】
前記空隙部は、前記貫通孔の内部に軸方向に広がりを有することを特徴とする請求項１に記載の釣竿。
【請求項３】
前記貫通孔は、複数形成されることを特徴とする請求項１又は２に記載の釣竿。
【請求項４】
前記貫通孔は、周方向に沿って延出する長孔であることを特徴とする請求項１から３のいずれか１項に記載の釣竿。
【請求項５】
前記ナット部材の貫通孔の近傍には、柔軟性のあるカバー部材が設けられていることを特徴とする請求項１から４のいずれか１項に記載の釣竿。
【請求項６】
前記空隙部は、前記ナット部材と、リール脚を保持するフードと一体化されるフードリングとの間に形成され、
前記フードリングには、凸状の弾発部材が設けられ、前記貫通孔と弾発部材は係合可能であることを特徴とする請求項１から５のいずれか１項に記載の釣竿。
【請求項７】
前記ナット部材とリール脚を保持するフードとは相対回転可能であることを特徴とする請求項１から６のいずれか１項に記載の釣竿。
【発明の詳細な説明】
【技術分野】
【０００１】
本発明は釣竿に関し、詳細には、リールシート部分に特徴を有する釣竿に関する。
【背景技術】
【０００２】
従来、釣竿の中には、釣糸を繰り出すリールを装着できるリール脚固定装置（リールシートとも称する）を備えたものがある。一般的なリールシートは、リール脚を載置するリール脚載置面と、このリール脚載置面の両端側に設けられた一対のフード（通常は固定フード及び移動フードとされる）とを備えており、一方のフード（固定フード）にリール脚の一端部を嵌入し、他方のフード（移動フード）を移動させながらリール脚の他端部の外表面に当て付けることでリールを固定することが可能となっている。
【０００３】
このようなリールシートとして、例えば、特許文献１に開示されている構成が知られている。この公知文献１に開示されているリールシートは、リール脚を緊締するためのナットリングに、周方向に沿って多数の貫通孔を形成しており、これによって外観の向上、及び軽量化を図ると共に、水滴、コマセ、ヌメリ等が付着しても、滑ることなく回転操作し易い構成としている。
【特許文献１】特開２０００−１８９０１０号
【発明の開示】
【発明が解決しようとする課題】
【０００４】
ところで、釣法の一つとしてルアーと称される疑似餌を用いるものが知られている。通常、この釣法では、ルアーロッドと称される釣竿のリール脚固定装置に、両軸受け型リール（スピニングリールの場合もある）を装着し、ルアーを所定のポイントに投擲した後、釣糸を巻取りながらルアーにアクションを与える操作が行なわれる。そして、このような釣法では、釣人は、魚のポイントを求めて釣り場を頻繁に移動する。
【０００５】
前記ルアーには、魚を引っ掛けるフックが設けられており、釣人は、釣り場を移動する際、ルアーロッドの先端から釣糸を垂らした状態で、フックを釣竿、又はリールのいずれかの箇所に引っ掛けている。例えば、上記した公知文献１に開示されているような釣竿では、ナットリングに形成された貫通孔にフックを引っ掛けることが可能であることから、このような貫通孔が形成されていることで、ルアーロッドの外周面に、別途、ルアーのフックを引っ掛けるための部材を設ける必要がなくなると考えられる。
【０００６】
しかし、上記した公知文献１に開示されている釣竿は、ナットリングがリールシートの筒部本体に対して摺動回転する構成であることから、ナットリングに形成される貫通孔にルアーのフックを引っ掛けても、フックの先端が、単に貫通孔を形成している内側壁に引っ掛かるだけで、容易に外れ易い構造となっている。すなわち、公知文献１に開示されている釣竿に用いられているリール脚固定装置のナットリングは、軽量化、操作性及び装飾性の向上を図ることを目的として形成されているに過ぎず、ルアーのフックを引っ掛けることを主目的として形成されたものではないため、フックの引っ掛け操作が行ない難いと共に、容易に外れ易いという問題がある。
【０００７】
本発明は、上記した問題に基づいてなされたものであり、ルアーのフックのような釣針を引っ掛けることが可能であり、かつ釣針を外れ難くしたリール脚固定装置を備えた釣竿を提供することを目的とする。
【課題を解決するための手段】
【０００８】
上記した目的を達成するために、本発明に係る釣竿は、魚釣用リールのリール脚を受ける本体と、前記本体に設けられ、前記リール脚の一端を前記本体との間で保持する第１のフードと、前記第１のフードと向かい合うと共に、前記リール脚の他端を前記本体との間で保持する第２のフードと、前記第１のフード及び第２のフードの少なくともいずれか一方に設けられ、前記本体に回転可能にねじ込まれる筒状のナット部材とを備えたリール脚固定装置を取り付けており、前記ナット部材の外周面に、内部に空隙部を有する貫通孔を形成したことを特徴とする。
【０００９】
上記した構成の釣竿では、リールから繰出される釣糸の先端にルアーのような仕掛けを連結した状態において、例えば、釣り場移動する場合等、そのルアーのフックを、リール脚固定装置のナット部材に形成された貫通孔に引っ掛けることが可能となる。従って、釣竿本体に針掛け部を設ける必要も無く、釣竿本体をフックによって傷つけることもない。また、貫通孔にフックを引っ掛ける際には、貫通孔の内部に空隙部が存在していることから、フックを容易に引っ掛けることが可能となる。
【発明の効果】
【００１０】
本発明によれば、ルアーのフックのような釣針を引っ掛けることが可能であり、かつ釣針を外れ難くしたリール脚固定装置を備えた釣竿が得られる。
【発明を実施するための最良の形態】
【００１１】
以下、本発明の実施形態について、添付図面を参照しながら具体的に説明する。  
図１から図８は、本発明に係る釣竿の一実施形態を示しており、図１は、釣竿のリール脚固定装置に魚釣用リール（ベイトキャスティングリール）を装着した状態を示す側面図、図２は、リール脚固定装置（リールシート）部分の側面図、図３は、リール脚固定装置の移動フード側の構成を示す一部断面図、図４は、フードリングの構成を示す一部断面図、図５は、フード部とナット部が一体となった構成を示す一部断面図、図６は、ナットリングの構成を示す一部断面図、図７は、トリムリングの構成を示す一部断面図、そして、図８は、カバー部材の構成を示す一部断面図である。
【００１２】
本実施形態に係る釣竿１は、例えば、繊維強化樹脂によって形成される竿杆２の基端部に、リールを装着するリール脚固定装置５及びグリップ７を取り付けて構成されており、主にルアーフィッシングに用いるのに適した構造となっている。この場合、竿杆２は、１本で構成されていても良いし複数の竿杆を継合する構成であっても良い。また、釣竿を構成する竿杆２は、管状に構成されていても良いし中実に構成されていても良い。
【００１３】
前記リール脚固定装置５は、内部に竿杆２が装着されるように、略筒状のリールシート本体（以下、本体とする）１０を備えており、この本体１０は、竿杆２とは別体で、ナイロン、ＡＢＳ等、比較的硬質な合成樹脂等で一体形成されている。本体１０の裏面側には、キャスティング操作が行ない易いように、指を引っ掛けるトリガー１１が形成されており、その反対側となる表面には、魚釣用リール７０の脚部（リール脚）７１が載置される平坦状で軸方向に延出するリール脚載置面１２が形成されている。そして、このように一体形成された本体１０は、グリップ７を接続した状態で竿杆２に対して接着剤等によって固定される。
【００１４】
前記本体１０には、リール脚載置面１２の長手方向両端側に対向配置され、リール脚７１の前部及び後部を受け入れるように一対のフード１３，１５が設けられている。本実施形態では、基端側のフード１３が本体１０と共に一体形成される固定フード、竿杆側のフード１５が軸方向に沿ってスライド可能な移動フードとして構成されている（以下、フード１３を「固定フード」、フード１５を「移動フード」と称する）。
【００１５】
前記移動フード１５は、回転しながらリール脚７１の前部を受け入れるように、固定フード１３側に向けて次第に拡径する当て付け部１５ａを具備したフード本体１６を有している。このフード本体１６は、図３及び図５に示すように、大径部１６ａ、中径部１６ｂ及び小径部１６ｃを有しており、ＡＢＳ、ポリアミド、ポリスチロール、ポリプロピレン、ポリカーボネートなどの樹脂等によって一体形成される。
【００１６】
そして、移動フード１５を構成するフード本体１６には、本体１０に対して軸方向に移動可能に装着されるナット部材２０が設けられており、ナット部材２０を回転操作することで、移動フード１５は回転しながら軸方向に移動される。この場合、フード本体１６は、ナット部材２０を構成するものであっても良い。
【００１７】
また、フード本体１６には、図３及び図４に示すように、前記フード本体１６の大径部１６ａを覆う露出円筒部１８ａと、前記フード本体１６の中径部１６ｂを覆う視認円筒部１８ｂとを有するフードリング１８が固着される。このフードリング１８は、アルミ、真鍮、ＳＵＳ、チタン等の金属、或いはＡＢＳ、ポリアミド、ポリスチロール、ポリプロピレン、ポリカーボネートなどの樹脂等によって一体形成される。
【００１８】
なお、フードリング１８の外面には、塗装、印刷、ドライプレーティング等によって被膜を形成しても良い。この場合、視認円筒部１８ｂの外周面に装飾を施すことにより、後述するナットリング２５に形成される貫通孔２６を介して、そのような装飾を視認することが可能となる。また、フードリング１８の露出円筒部１８ａは、ナット部材２０を回転操作する際に、指が当たる部分でもあることから、抵抗を付与するように凹凸１８ｃを形成しておいても良い。
【００１９】
前記ナット部材２０は、本体１０の外周面に形成される雄ネジ部（図示せず）に螺合される筒状の雌ネジ部（ナット部）２１を有している。この雌ネジ部２１は、図５に示すように、フード本体１６の小径部１６ｃの内面に一体形成される。
【００２０】
また、前記ナット部材２０は、図３及び図６に示すように、外部に露出する円筒状の大径部２５ａと、前記フード本体１６の小径部１６ｃの外周に固着される小径部２５ｂが一体形成されたナットリング２５を有している。このナットリング２５は、アルミ、真鍮、ＳＵＳ、チタン等の金属、或いはＡＢＳ、ポリアミド、ポリスチロール、ポリプロピレン、ポリカーボネートなどの樹脂等によって一体形成されている。なお、ナットリング２５の表面には、塗装、印刷、ドライプレーティング等によって被膜を形成しても良い。
【００２１】
上記した構成のナットリング２５は、小径部２５ｂがフード本体１６の小径部１６ｃの外周に固着された際、大径部２５ａが、前記フードリング１８の視認円筒部１８ｂ上に位置して、大径部２５ａと視認円筒部１８ｂとの間に所定の空隙部Ｓが形成されるようになっている。また、この状態で大径部２５ａは、フードリング１８の露出円筒部１８ａと略面一になるように構成されている。
【００２２】
そして、前記ナットリング２５の露出部分となる大径部２５ａには、ルアーのフックを引っ掛けることが可能な貫通孔２６が形成されており、この貫通孔２６の内部に、前記空隙部Ｓが位置するようになっている。すなわち、貫通孔２６は、その内部に、円周方向に沿って広がる空隙部Ｓを備えた構成となっており、これにより、ルアーのフックを貫通孔２６の内部に差し込んで、容易に引っ掛けることができるようになっている。
【００２３】
貫通孔２６の形状については、特に限定されることはないが、図３及び図６に示すように、周方向に沿った長孔形状としておくことが好ましい。すなわち、このように長孔形状にしておくことで、例えば、円形の貫通孔と比較した場合、長手方向にフックを移動させながら係止したり、取り外すことが容易となって、着脱操作性に優れた構成となる。
【００２４】
また、前記貫通孔２６は、複数形成しておくことが好ましい。すなわち、貫通孔２６を複数形成しておくことにより、釣人の利き腕に関係なく、フックの引っ掛け操作が行ない易くなる。なお、本実施形態では、長孔形状の貫通孔２６を、周方向に沿って略６０°間隔で６箇所形成している。
【００２５】
また、前記貫通孔２６と空隙部Ｓの関係については、図３に示すように、空隙部Ｓが、貫通孔２６を規定する垂直端面に対して、軸方向Ｘに対しても広がりを有するように形成されていることが好ましい。すなわち、空間部Ｓは、ナットリング２５の大径部２５ａとフードリング１８の視認円筒部１８ｂとの間の隙間によって形成されることから、各貫通孔２６には、周方向に対して広がりがあり、周方向に沿ってフックを引っ掛けることが可能となっているが、図３に示すように、軸方向Ｘに対しても広がりを有するように形成しておくことで、フックを、より容易に引っ掛けることが可能となる。
【００２６】
さらに、上記した構成では、ナット部材２０の貫通孔２６の近傍（貫通孔２６の前側）に、柔軟性のあるカバー部材３０を設けておくことが好ましい。このカバー部材３０は、図８に示すように、ＥＶＡ、コルク、エラストマー等の柔軟性のある材料によって筒状に形成されており、これを図３及び図７に示すように、トリムリング３３の外周面に取着することによって貫通孔２６の近傍に設けておくことが可能である。
【００２７】
前記トリムリング３３は、アルミ、真鍮、ＳＵＳ、チタン等の金属、或いはＡＢＳ、ポリアミド、ポリスチロール、ポリプロピレン、ポリカーボネートなどの樹脂等によって略円筒状に一体形成されており、その円筒部３３ａの外周面に、前記カバー部材３０が固着され、その内周面は、前記フード本体１６の小径部１６ｃの外周面に固着される。この場合、トリムリング３３には、段部３３ｂが形成されており、この段部３３ｂにカバー部材３０に形成された凹所の段部３０ａを当て付けることで、両者は位置決めされる。なお、前記トリムリング３３の外面に、塗装、印刷、ドライプレーティング等によって被膜を形成しておいても良い。
【００２８】
上記した構成の釣竿によれば、図９に示すように、魚釣用リール７０から繰出される釣糸の先端にルアー８０を連結した状態において、例えば、釣り場移動する場合等、そのルアー８０のフック８１を、前記ナット部材２０のナットリング２５の外周面に形成された貫通孔２６に引っ掛けることが可能となる。従って、釣竿本体（竿杆２）に、ルアーのフック８１を引っ掛ける針掛け部を設けておく必要が無く、釣竿本体をフック８１によって傷つけることもない。また、このような針掛け部を設ける必要性が無いことから、釣竿を作成する上で、工数が削減され、コストダウンを図ることが可能となる。
【００２９】
また、上記した構成では、貫通孔２６にフック８１を引っ掛ける際、貫通孔２６の内部に空隙部Ｓが存在していることから、フック８１を容易に引っ掛けることが可能になると共に、貫通孔２６は、周方向に延出する長孔状に形成されていることから、フック８１の着脱操作性が良好となる。この場合、空隙部Ｓは、さらに軸方向Ｘに広がりがあり、かつ貫通孔２６も複数形成されていることから、引っ掛け操作がより容易に行なえるようになる。
【００３０】
さらに、上記したように、貫通孔２６の近傍には、柔軟性のあるカバー部材３０が設けられていることから、例えば、フック８１が複数形成されているようなルアー（トリプルフック）の場合、貫通孔２６に１つのフックを引っ掛けておき、それ以外のフックについてはカバー部材３０に当て付けたり、引っ掛けておくことが可能になるため、針先を痛めることを防止することができる。
【００３１】
図１０から図１３は、本発明の第２の実施形態を示す図であり、図１０は、リール脚固定装置の移動フード側の構成を示す一部断面図、図１１は、フードリングの構成を示す図、図１２は、弾発部材の構成を示す図、そして、図１３は、フードリングに弾発部材を取付けた状態の、弾発部材の幅方向中央部における断面図である。
【００３２】
なお、以下の実施形態では、上記した実施形態と異なる部分について説明し、同一の部分については、同一の参照符号を付して、その詳細な説明については、省略する。
【００３３】
本実施形態の構成では、前記フードリング１８の視認円筒部１８ｂの外周面に凹溝１８ｄを形成しておき、この部分に、図１２に示すような略半円形状の弾発部材４０を係止させている。この弾発部材４０の一部には、径方向外方に突出する係止凸部４１が形成されており、この係止凸部４１が、前記貫通孔２６に係合可能となっている。すなわち、この係止凸部４１は、図１３に示すように、バネ性を有した状態で貫通孔２６内に入り込むようになっており、ナット部材２０を回転操作することで、弾性変形しながら貫通孔２６に対して係合／離脱するようになっている（節度を持った回転操作が行なえる）。
【００３４】
通常、上記したように、ルアー８０のフック８１を貫通孔２６に引っ掛けると、その引っ掛け位置によっては、ナット部材２０が緩むことが有り得る。すなわち、通常、釣り場を移動するに当たっては、ルアーのフック８１を貫通孔２６に引っ掛けた状態で、釣糸が他物に引っ掛からないように、釣糸を張った状態にしておくため、ルアーの引っ掛け方向や振動によっては、釣糸の張力によってナット部材２０が緩むことが有り得る。
【００３５】
上記したように、弾発部材４０を設置してナットリング２５の回転に節度を持たせたことによって、ナット部材２０の緩みを効果的に防止することが可能となる。
【００３６】
なお、上記した弾発部材４０については、図１２に示すような板バネ形状に限られず、フードリング１８の視認円筒部１８ｂの外周面から突出して貫通孔２６に係合できれば、その形状については、適宜変形することが可能である。この場合、ナット部材２０の回転抵抗が、係止していない状態よりも、係止している状態の方が大きく設定されていれば良い。なお、上記したような弾発部材４０の形状によれば、変形によって弾発部材及びナットリング２５の双方が破損し難く、スムーズにナットが回転でき、緩み難くなる。
【００３７】
また、本実施形態の構成では、前記ナット部材とフードが相対回転可能に構成されている。具体的には、前記フードリング１８が固着されるフード本体１６の竿先側端部に凹凸部１６ｄを形成しておくと共に、雌ネジ部（ナット部）２１の元側端部に凹凸部２１ｄを形成しておき、両者を圧入することで、相互に外れることなく、ナット部材２０とフードリング１８を相対回転可能に連結している。この場合、両者を連結するに際しては、フード本体１６を樹脂で形成しておくことにより、圧入時に変形して両者を容易に圧入連結することが可能となる。
【００３８】
このように、ナット部材とフードを相対回転可能に構成しておくことで、貫通孔２６を介して視認されるフードリング１８の視認円筒部１８ｂの表面位置が変わることから、例えば、図１４に示すように、視認円筒部１８ｂの外周面に色分けした模様やマーキングＣ等を塗布しておくことで、視認される位置によってナット部材２０の回動状態が判別できるようになる。すなわち、ナット部材２０の締め込み状態、或いは、緩み具合を目視によって判断することが可能となる。
【００３９】
以上、本発明の実施形態について説明したが、本発明は、上記した実施形態以外にも、例えば、以下のように構成することが可能である。
【００４０】
上記した実施形態では、竿先側を移動フードとして構成したが、基端側を移動フードにしても良いし、両者を移動フードによって構成しても良い。また、回転操作されるナット部材２０の構成については、上記したような釣り針（フック）が引っ掛けられるように、内部に空隙部Ｓを有する貫通孔が形成されたものであれば良く、その構成、形状等については適宜変形することが可能である。
【図面の簡単な説明】
【００４１】
【図１】本発明に係る釣竿のリール脚固定装置に魚釣用リール（ベイトキャスティングリール）を装着した状態を示す側面図。
【図２】リール脚固定装置（リールシート）部分の側面図。
【図３】リール脚固定装置の移動フード側の構成を示す一部断面図。
【図４】フードリングの構成を示す一部断面図。
【図５】フード部とナット部が一体となった構成を示す一部断面図。
【図６】ナットリングの構成を示す一部断面図。
【図７】トリムリングの構成を示す一部断面図。
【図８】カバー部材の構成を示す一部断面図。
【図９】ルアーのフックをリール脚固定装置の貫通孔に引っ掛けた状態を示す図。
【図１０】本発明の第２の実施形態を示す図であり、リール脚固定装置の移動フード側の構成を示す一部断面図。
【図１１】フードリングの構成を示す図。
【図１２】弾発部材の構成を示す図。
【図１３】フードリングに弾発部材を取付けた状態の、弾発部材の幅方向中央部における断面図。
【図１４】フードリングの変形例を示す図。
【符号の説明】
【００４２】
１  釣竿
２  竿杆
５  リール脚固定装置
１０  リールシート本体（本体）
１３  フード（固定フード）
１５  フード（移動フード）
２０  ナット部材
２１  雌ネジ部
２６  貫通孔
３０  カバー部材
４０  弾発部材
７０  魚釣用リール
７１  リール脚
８０  ルアー
８１  フック
Ｓ  空隙部
【図１】
2007116993.tif 000003
【図２】
2007116993.tif 000004
【図３】
2007116993.tif 000005
【図４】
2007116993.tif 000006
【図５】
2007116993.tif 000007
【図６】
2007116993.tif 000008
【図７】
2007116993.tif 000009
【図８】
2007116993.tif 000010
【図９】
2007116993.tif 000011
【図１０】
2007116993.tif 000012
【図１１】
2007116993.tif 000013
【図１２】
2007116993.tif 000014
【図１３】
2007116993.tif 000015
【図１４】
2007116993.tif 000016